(57)【特許請求の範囲】
【請求項１】
オーディオデータとビデオデータとが入力される入力手段と、
前記入力手段により入力されるオーディオデータを圧縮処理するオーディオ圧縮手段と、
前記入力手段により入力されるビデオデータを圧縮処理するビデオ圧縮手段と、
圧縮されたオーディオデータまたは圧縮されたビデオデータを記録媒体に書き込む書込手段と、
前記記録媒体の種類を判別する判別手段と、
複数の圧縮プログラムを格納するプログラム格納手段と、
前記入力手段より入力されるデータを前記記録媒体に記録する際、前記判別手段により前記記録媒体が圧縮オーディオデータと圧縮ビデオデータ記録用記録媒体であると判別された場合、前記判別手段の判別結果に基づいて、前記複数の圧縮プログラムのうち所定の圧縮プログラムを選択し、前記所定の圧縮プログラムに基づいて、前記オーディオデータを前記オーディオ圧縮手段により圧縮させると共に、前記ビデオデータを前記ビデオ圧縮手段により圧縮させた後、圧縮されたオーディオデータと圧縮されたビデオデータとを前記記録媒体に書き込ませ、
前記判別手段により前記記録媒体が圧縮オーディオデータ用記録媒体であると判別された場合、前記判別手段の判別結果に基づいて、前記複数の圧縮プログラムのうち所定の圧縮プログラムを選択し、前記所定の圧縮プログラムに基づいて、前記オーディオデータを前記オーディオ圧縮手段により圧縮させた後、圧縮オーディオデータのみを記録媒体に書き込ませるように制御する制御手段と
を備えることを特徴とするデータ記録装置。
【請求項２】
オーディオデータとビデオデータとが入力される入力手段と、
前記入力手段により入力されるオーディオデータを圧縮処理するオーディオ圧縮手段と、
前記入力手段により入力されるビデオデータを圧縮処理するビデオ圧縮手段と、
圧縮されたオーディオデータ又は圧縮されたビデオデータを記録媒体に書き込む書込手段と、
前記記録媒体の種類を判別する判別手段と、
複数の圧縮プログラムが格納された装着型プログラム格納媒体よりプログラムを読み出す読出手段と、
前記入力手段より入力されるデータを前記記録媒体に記録する際、前記判別手段により前記記録媒体が圧縮オーディオデータと圧縮ビデオデータ記録用記録媒体であると判別された場合、前記判別手段の判別結果に基づいて、前記装着型プログラム格納媒体に格納された前記複数の圧縮プログラムのうち所定の圧縮プログラムを選択し、前記所定の圧縮プログラムに基づいて、前記オーディオデータを前記オーディオ圧縮手段により圧縮させると共に、前記ビデオデータを前記ビデオ圧縮手段により圧縮させた後、圧縮オーディオデータと圧縮ビデオデータとを記録媒体に書き込ませ、
前記判別手段により前記記録媒体が圧縮オーディオデータ用記録媒体であると判別された場合、前記判別手段の判別結果に基づいて、前記複数の圧縮プログラムから所定の圧縮プログラムを選択し、前記所定の圧縮プログラムに基づいて、前記オーディオデータを前記オーディオ圧縮手段により圧縮させた後、圧縮オーディオデータのみを記録媒体に書き込ませるように制御する制御手段と
を備えることを特徴とするデータ記録装置。
【発明の詳細な説明】
【技術分野】
【０００１】
本発明は、例えば光磁気ディスクにビデオデータやオーディオデータを圧縮伸張して記録再生する場合に用いて好適なデータ処理装置に関する。
【背景技術】
【０００２】
最近、光磁気ディスク（ミニディスク）（商標）にデジタルオーディオデータを圧縮して記録再生するミニディスク（ＭＤ）装置が普及しつつある。図６は、このミニディスク装置の一例の構成を示している。
【０００３】
ミニディスク（光磁気ディスク）３は、カートリッジ２に収容されており、スピンドルモータ１により回転されるようになされている。このミニディスク３が装置本体に装着されたとき、対物レンズ５を有する光ピックアップ４と、磁気ヘッド６が、ミニディスク３を挟んで対向するように配置される。磁気ヘッド６と光ピックアップ４は、図示せぬ連結部材により連結されており、送りモータ７によりミニディスク３の半径方向に移送されるようになされている。
【０００４】
キー２０を操作して、例えば記録動作を指令すると、システムコントローラ１８は、サーボ制御回路８を介してスピンドルモータ１を駆動し、ミニディスク３を所定の速度で回転させる。また、サーボ制御回路８は、光ピックアップ４を制御し、内蔵するレーザダイオードからレーザビームを出射し、対物レンズ５を介してミニディスク３に照射させる。ミニディスク３により反射されたレーザビームが、対物レンズ５を介して光ピックアップ４に入射され、内蔵する光検出器により受光される。
【０００５】
ミニディスク３には、プリグルーブが形成されており、このプリグルーブを所定の周波数で蛇行させることにより、アドレスが記録されている。光ピックアップ４の光検出器が出力するＲＦ信号が、ＲＦアンプ１６を介してアドレスデコーダ１７に入力され、アドレスデコーダ１７は、このプリグルーブに対応する信号からアドレスをデコードする。デコードされたアドレスがエンコーダ／デコーダ１３に供給される。エンコーダ／デコーダ１３は、入力されたアドレスからセクタ、その他のアドレスを読み取り、後述するように、所定のフォーマットになるようにエンコードを行う。
【０００６】
また、サーボ制御回路８は、ＲＦアンプ１６が出力する信号からフォーカスエラー信号、トラッキングエラー信号、スレッドエラー信号などを生成し、これに対応して光ピックアップ４を制御し、フォーカスサーボ、トラッキングサーボ、スレッドサーボを実行する。
【０００７】
アナログオーディオ信号は、Ａ／Ｄ変換器９に入力され、例えば４４．１ｋＨｚのサンプリング周波数で、１サンプル当り１６ビットのデジタルオーディオデータに変換される。Ａ／Ｄ変換器９より出力されたデジタルオーディオデータは、音声圧縮のエンコーダ／デコーダ１０に入力され、所定の方式（ＡＴＲＡＣ（Ａｄａｐｔｉｖｅ  Ｔｒａｎｓｆｏｒｍ  Ａｃｏｕｓｔｉｃ  Ｃｏｄｉｎｇ）方式）によりエンコード（符号化）される。
【０００８】
エンコーダ／デコーダ１０において、入力されたデジタルオーディオデータは、１１ｋＨｚ乃至２２ｋＨｚの高域周波数成分と、５．５ｋＨｚ乃至１１ｋＨｚの中域周波数成分と、０ｋＨｚ乃至５．５ｋＨｚの低域周波数成分とに分割され、各周波数成分がＭＤＣＴ（変形離散コサイン変換）され、圧縮される。このように、周波数帯域を３つに分割することにより、ＤＣＴ演算で生じやすいプリエコーを抑制することができる。
【０００９】
エンコーダ／デコーダ１０によりエンコード（符号化）されたデータは、メモリコントローラ１１を介して、例えば４Ｍビットの容量を有するＤＲＡＭ１２に供給され、一旦記憶される。このＤＲＡＭ１２は、実時間で約３秒分のオーディオ信号を記憶することができる。このため、後述する光ピックアップ４と磁気ヘッド６による記録動作が、外乱ショックなどに起因して一時的に中断されたような場合においても、リアルタイムで入力されるオーディオ信号を連続的に記憶しておくことができ、記録信号が途中で途切れてしまうようなことが防止されるようになされている。
【００１０】
ＤＲＡＭ１２に記憶されたデータは、メモリコントローラ１１により所定のタイミングで読み出され、ＥＦＭとＣＩＲＣのエンコーダ／デコーダ１３に入力される。エンコーダ／デコーダ１３は、入力されたデジタルオーディオデータをコンパクトディスク（ＣＤ）などにおける場合と同様に、ＥＦＭ変調するとともに、誤り検出訂正のための符号を付加する。エンコーダ／デコーダ１３により、このようにエンコードされたデータは、ヘッド駆動回路１４に供給され、ヘッド駆動回路１４は、入力された記録データに対応する駆動信号を、磁気ヘッド６に供給する。磁気ヘッド６は、この駆動信号に対応して、ミニディスク３に垂直磁界を印加する。これにより、ミニディスク３上にデータが記録される。
【００１１】
図７は、ミニディスク３における記録フォーマットを表している。同図に示すように、ミニディスク３は、その１周が複数のセクタに区分されている。そして、エンコーダ／デコーダ１３は、３６個のセクタを１クラスタとし、このクラスタを単位として、圧縮されたデジタルオーディオデータを記録する。
【００１２】
同図に示すように、１クラスタを構成する３６セクタのうち、最初の３セクタはリンクセクタとされ、その次の１セクタはサブデータセクタとされている。このサブデータセクタには、オーディオデータ以外のサブデータが配置される。リンクセクタは、前後のクラスタを結合するための領域とされ、オーディオデータは実質的に、リンクセクタとサブデータセクタ以外の３２セクタにのみ記録される。
【００１３】
１セクタは、２３５２バイト（データ用２３５２バイト）とされ、２つの連続するセクタに１１個のサウンドグループが配置される。１サウンドグループは、４２４バイトとされ、そこには、左チャンネルと右チャンネルのオーディオデータが合計５１２サンプル分（１１．６１ｍｓ分）配置されるようになされている。デジタルオーディオデータは、このサウンドグループを単位として記録が行われる。
【００１４】
キー２０を操作して再生が指令されると、システムコントローラ１８は、サーボ制御回路８を介して光ピックアップ４を制御し、レーザビームの強度を再生のための強度（記録のための強度より弱い強度）に調整する。光ピックアップ４は、ミニディスク３より反射されたレーザビームに対応する信号を、ＲＦアンプ１６を介してエンコーダ／デコーダ１３に出力する。エンコーダ／デコーダ１３は、アドレスデコーダ１７より供給されるアドレス位置を参照してデータをデコードする。即ち、ＥＦＭ復調するとともに、誤り検出訂正を行い、メモリコントローラ１１を介してＤＲＡＭ１２に記憶させる。
【００１５】
上述したように、ＤＲＡＭ１２には、実時間で約３秒分のデータを記憶することができるため、光ピックアップ４よりミニディスク３からデータを読み取る動作が、外乱などにより一時的に中断されたような場合においても、３秒以内にミニディスク３からの読み取り動作を再開することができれば、再生信号が途中で途切れるようなことが防止される。
【００１６】
メモリコントローラ１１によりＤＲＡＭ１２より読み出されたデータは、エンコーダ／デコーダ１０に供給され、圧縮されたデジタルオーディオデータが伸張され、Ｄ／Ａ変換器１５に供給されてＤ／Ａ変換され、アナログオーディオ信号として出力される。
【００１７】
表示部１９には、記録再生動作に関連して必要なメッセージなどが随時表示される。
【００１８】
一方、ビデオデータと、それに付随するオーディオデータをＭＰＥＧ方式のフォーマットに従って光磁気ディスクや光ディスクに記録することが、例えばＣＤ−Ｉフォーマットとして提案されている。このＭＰＥＧ方式においては、ビデオデータとオーディオデータが圧縮されて記録媒体に記録される。図８は、ビデオデータの圧縮の原理を示している。同図に示すように、例えば所定のフレーム数（この例においては、７フレーム）において、ＧＯＰ（グループオブピクチャ）が構成される。各ＧＯＰの先頭のフレームはＩピクチャとされ、それに続く２フレームはＢピクチャとされ、その次の１フレームはＰピクチャとされ、さらに、それに続く２フレームはＢピクチャ、そして１番最後のフレームはＰピクチャとされる。
【００１９】
Ｉピクチャは、フレーム内相関を利用して画像が圧縮される。Ｐピクチャは、時間的に先行するＩピクチャまたはＰピクチャを予測画像として、フレーム間相関を利用してデータが圧縮される。また、Ｂピクチャは、時間的に先行するＩピクチャまたはＰピクチャと、時間的に後行するＩピクチャまたはＰピクチャを予測画像として、フレーム間相関を利用してデータが圧縮される。
【００２０】
即ち、ビデオ信号がフレーム０乃至６の順番に入力されると（図９（ａ））、この各フレームは、フレーム０，３，１，２，６，４，５の順に符号化される（図９（ｂ））。これは、Ｂピクチャは時間的に先行するフレームだけでなく、時間的に後行するフレームからの予測を伴うため、時間的に後行する予測画像としてのＰピクチャが予めデコードされていないと、Ｂピクチャのデータを符号化することができないためである。その結果、伝送される（記録媒体に記録される）ビデオデータは、フレーム０，３，１，２，６，４，５の順番になる。従って、これを記録媒体から再生し、復号すると、その順番はフレーム０，３，１，２，６，４，５となる（図９（ｃ））。
【００２１】
これを、フレーム０，１，２，３，４，５，６の元の順番に戻し（図９（ｄ））、さらに、このデータをノンインターレース方式のビデオ信号からインターレース方式のビデオ信号に変換し、通常の例えばＮＴＳＣ方式のテレビジョン受像機において、表示することができる（図９（ｅ））。
【００２２】
このＭＰＥＧ方式においては、ビデオ信号に付随するオーディオ信号を、表１に示すように、レイヤIまたはレイヤIIにおいて符号化することができるように なされている。
【００２３】
【表１】
0003604036.tif 000002
【００２４】
また、この表に示すように、各レイヤにおいて符号化速度も１４種類の中から所定のものを随時選択することができるようになされている。オーディオ信号のサンプリング周波数は４４．１ｋＨｚで、上述したミニディスクにおける場合と同様であるが、符号化速度は、このように所定のものを随時選択することができるようになされている。
【００２５】
このようなＭＰＥＧ方式のビデオデータとオーディオデータは、重畳されてＭＰＥＧビットストリームとして、所定のフォーマットに変換される。そして、このＭＰＥＧビットストリームのデータが、例えばＣＤなどの記録媒体に対応する記録フォーマットに変換されてＣＤ（ＣＤ−Ｉ）に記録され、また、ＣＤより再生されたデータが、ＭＰＥＧビットストリームのフォーマットに変換されて出力されるようになされている。このように、種々のデータ処理装置においてＭＰＥＧビットストリームのフォーマットを処理できるように構成しておくことにより
、データの相互利用が可能となる。
【００２６】
ＭＰＥＧ方式のデータをＣＤに記録する場合のフォーマットは、ＣＤ−Ｉのフォーマットとして規定されている。ＣＤ−Ｉフォーマットにおいては、データはセクタ単位で記録される。各セクタは、ヘッダ、サブヘッダ、データフィールドから構成され、ヘッダとサブヘッダには、データ形式、フォームの種類および符号化情報が格納される。データ形式は、セクタに記録したデータの形式に対応して、ビデオセクタ、オーディオセクタまたはデータセクタに区分される。即ち、データフィールドに記録するデータがビデオデータである場合には、ビデオセクタとされ、オーディオデータである場合には、オーディオセクタとされ、例えばアプリケーションプログラムなどのデータである場合には、データセクタとされる。
【００２７】
フォーム（フォーム１または２）は、データフィールドにおけるデータの誤り訂正符号の有無を示すものであり、フォーム１のセクタは、２０４８バイトのユーザデータと、２８０バイトの誤り訂正符号を含む。また、フォーム２のセクタは、誤り訂正符号を含まず、その結果、２３２４バイトのユーザデータの記録が可能となる。
【００２８】
符号化情報は、セクタの符号化フォーマットを示すものであり、例えばビデオセクタの符号化フォーマットには、ΔＹＵＶ，ＣＬＵＴ，ＲＧＢなどの画像信号形式があり、これを、この符号化情報に対応して識別することができる。また、オーディオセクタの場合は、レベルＡ，レベルＢ，レベルＣのＡＤＰＣＭのフォーマットがあり、各レベルは、異なる圧縮率を有するようになされている。
【００２９】
通常のテレビ画像と同様の自然動画（フル画像）のデータを記録することができるようにするため、ビデオセクタには、さらに２つのフォーマットが指定される。その１つは、ノンインターレース動画のＭＰＥＧ符号化データを示すＭＰＥＧビデオであり、他の１つは、インターレース静止画の符号化データを示すＭＰＥＧ静止画のフォーマットである。さらにまた、オーディオセクタに対してＭＰＥＧオーディオのフォーマットが指定されている。これらのＭＰＥＧビデオ、ＭＰＥＧ静止画およびＭＰＥＧオーディオは、いずれもフォーム２のセクタとされる。
【００３０】
各セクタには、異なるデータ処理装置間において互換性を有するように、ＭＰＥＧストリームが記録される。
【００３１】
上述したミニディスク（ＭＤ）は、本来オーディオデータを記録再生するために開発されたものであるが、オーディオデータ以外のデータも記録再生することができるように、ＭＤデータのフォーマットが規定されている。このＭＤデータのフォーマットに対応するＭＤデータドライブ装置（ＭＤＤ）は、本来パーソナルオーディオ機器（携帯型、据置型、または車載型）の用途で開発されたシステムであり、直径６４ｍｍの読み出し専用光ディスク、書き換え可能なＭＯ（光磁気）ディスク、または書き換え領域と読み出し専用領域を有するハイブリッド（パーシャルＲＯＭ）ディスクのいずれかをカートリッジ内に収容した記録メディアを用い、ＭＯディスクやハイブリッドディスクに対しては、磁界変調オーバーライト記録方式によって、データを記録するものである。
【００３２】
パーソナルオーディオ機器としての開発過程により、各回路素子の集積化や各機構部品の最適化が図られ、装置全体の小型、軽量化が達成されているとともに、低消費電力化によりバッテリオペレーションが可能となされている。さらに、既存の３．５インチＭＯディスクドライブと略同一の記憶容量（１２０Ｍバイト）を有し、記録メディアの交換が可能であるという特徴に加え、量産効果により、他のＭＯディスクドライブと比較して装置本体や記録メディアの製造コストの低減化が可能でり、パーソナルオーディオ機器としての使用実績からして、信頼性も充分に実証されている。
【発明の開示】
【発明が解決しようとする課題】
【００３３】
このようにＭＤデータドライブ装置は、種々のデータ処理装置のドライブとして用いることが可能であるが、上述したように、例えばミニディスク（ＭＤ）としてのフォーマットと、ＭＰＥＧ方式によりビデオデータとオーディオデータを記録するＣＤ−Ｉのフォーマットとは異なるフォーマットとなされているために、互換性を有していない。このため、ミニディスク装置において、ＭＤデータ対応のフォーマットのディスクを再生することができず、また、音楽用ＭＤをデータドライブ装置で再生することができない課題があった。勿論、それぞれのフォーマットに対応する回路を両方とも具備するようにすれば、いずれのフォーマットのディスクも再生可能となるが、そのようにすると、コスト高となる。
【００３４】
本発明はこのような状況に鑑みてなされたものであり、低コストで、異なるフォーマットの記録媒体に対しても、データを記録または再生することができるようにするものである。
【課題を解決するための手段】
【００３５】
本発明の第１のデータ記録装置は、オーディオデータとビデオデータとが入力される入力手段と、入力手段により入力されるオーディオデータを圧縮処理するオーディオ圧縮手段と、入力手段により入力されるビデオデータを圧縮処理するビデオ圧縮手段と、圧縮されたオーディオデータまたは圧縮されたビデオデータを記録媒体に書き込む書込手段と、記録媒体の種類を判別する判別手段と、複数の圧縮プログラムを格納するプログラム格納手段と、入力手段より入力されるデータを記録媒体に記録する際、判別手段により記録媒体が圧縮オーディオデータと圧縮ビデオデータ記録用記録媒体であると判別された場合、判別手段の判別結果に基づいて、複数の圧縮プログラムのうち所定の圧縮プログラムを選択し、所定の圧縮プログラムに基づいて、オーディオデータをオーディオ圧縮手段により圧縮させると共に、ビデオデータをビデオ圧縮手段により圧縮させた後、圧縮されたオーディオデータと圧縮されたビデオデータとを記録媒体に書き込ませ、判別手段により記録媒体が圧縮オーディオデータ用記録媒体であると判別された場合、判別手段の判別結果に基づいて、複数の圧縮プログラムのうち所定の圧縮プログラムを選択し、所定の圧縮プログラムに基づいて、オーディオデータをオーディオ圧縮手段により圧縮させた後、圧縮オーディオデータのみを記録媒体に書き込ませるように制御する制御手段とを備えることを特徴とする。
【００３７】
本発明の第２のデータ記録装置は、オーディオデータとビデオデータとが入力される入力手段と、入力手段により入力されるオーディオデータを圧縮処理するオーディオ圧縮手段と、入力手段により入力されるビデオデータを圧縮処理するビデオ圧縮手段と、圧縮されたオーディオデータ又は圧縮されたビデオデータを記録媒体に書き込む書込手段と、記録媒体の種類を判別する判別手段と、複数の圧縮プログラムが格納された装着型プログラム格納媒体よりプログラムを読み出す読出手段と、入力手段より入力されるデータを記録媒体に記録する際、判別手段により記録媒体が圧縮オーディオデータと圧縮ビデオデータ記録用記録媒体であると判別された場合、判別手段の判別結果に基づいて、装着型プログラム格納媒体に格納された複数の圧縮プログラムのうち所定の圧縮プログラムを選択し、所定の圧縮プログラムに基づいて、オーディオデータをオーディオ圧縮手段により圧縮させると共に、ビデオデータをビデオ圧縮手段により圧縮させた後、圧縮オーディオデータと圧縮ビデオデータとを記録媒体に書き込ませ、判別手段により記録媒体が圧縮オーディオデータ用記録媒体であると判別された場合、判別手段の判別結果に基づいて、複数の圧縮プログラムから所定の圧縮プログラムを選択し、所定の圧縮プログラムに基づいて、オーディオデータをオーディオ圧縮手段により圧縮させた後、圧縮オーディオデータのみを記録媒体に書き込ませるように制御する制御手段とを備えることを特徴とする。
【００３８】
本発明の第１のデータ記録装置においては、オーディオデータとビデオデータとが入力され、入力されるオーディオデータが圧縮処理され、入力されるビデオデータが圧縮処理され、圧縮されたオーディオデータまたは圧縮されたビデオデータが記録媒体に書き込まれ、記録媒体の種類が判別され、複数の圧縮プログラムが格納され、入力されるデータが記録媒体に記録される際、記録媒体が圧縮オーディオデータと圧縮ビデオデータ記録用記録媒体であると判別された場合、判別結果に基づいて、複数の圧縮プログラムのうち所定の圧縮プログラムが選択され、所定の圧縮プログラムに基づいて、オーディオデータが圧縮させると共に、ビデオデータが圧縮させた後、圧縮されたオーディオデータと圧縮されたビデオデータとが記録媒体に書き込まれ、記録媒体が圧縮オーディオデータ用記録媒体であると判別された場合、判別結果に基づいて、複数の圧縮プログラムのうち所定の圧縮プログラムが選択され、所定の圧縮プログラムに基づいて、オーディオデータが圧縮させられた後、圧縮オーディオデータのみが記録媒体に書き込まれるように制御される。
【００３９】
本発明の第２のデータ記録装置においては、オーディオデータとビデオデータとが入力され、入力されるオーディオデータが圧縮処理され、入力されるビデオデータが圧縮処理され、圧縮されたオーディオデータ又は圧縮されたビデオデータが記録媒体に書き込まれ、記録媒体の種類が判別され、複数の圧縮プログラムが格納された装着型プログラム格納媒体よりプログラムが読み出され、入力されるデータが記録媒体に記録される際、記録媒体が圧縮オーディオデータと圧縮ビデオデータ記録用記録媒体であると判別された場合、判別結果に基づいて、装着型プログラム格納媒体に格納された複数の圧縮プログラムのうち所定の圧縮プログラムが選択され、所定の圧縮プログラムに基づいて、オーディオデータが圧縮させられ、ビデオデータが圧縮させられた後、圧縮オーディオデータと圧縮ビデオデータとが記録媒体に書き込まれ、記録媒体が圧縮オーディオデータ用記録媒体であると判別された場合、判別結果に基づいて、複数の圧縮プログラムから所定の圧縮プログラムが選択され、所定の圧縮プログラムに基づいて、オーディオデータが圧縮させられた後、圧縮オーディオデータのみが記録媒体に書き込まれるように制御される。
【発明の効果】
【００４０】
本発明のデータ処理装置によれば、記録媒体に記録されているデータの種類に対応するプログラムをロードして処理するようにしたので、回路構成を簡略化し、装置を低コスト化することが可能となる。
【発明を実施するための最良の形態】
【００４１】
図１は、本発明のデータ処理装置を応用した光磁気ディスク記録再生装置（ＭＤデータドライブ装置）の一実施例の構成を示す斜視図である。光磁気ディスク記録再生装置３１には、その側面に挿入孔３２が設けられ、この挿入孔３２から、図６を参照して説明したカートリッジ２を装着することができるようになされている。図６を参照して説明したように、このカートリッジ２には、ミニディスク３が収容されている。
【００４２】
また、この光磁気ディスク記録再生装置３１には、挿入孔３２の右側にキー３３が設けられ、電源のオン／オフ、リジェクト、リセットなどの所定の指令を入力することができるようになされている。さらに、挿入孔３２の左側には、赤外線受光部３４が設けられ、リモートコントローラ３５より出射された赤外線による指令が受光されるようになされている。
【００４３】
この光磁気ディスク記録再生装置３１は、コード４１を介して電話回線に接続されるようになされている。またコード４２を介して、マイクロホン４３からオーディオ信号が入力されるとともに、コード４４を介して、スピーカ４５にオーディオ信号を出力することができるようになされている。さらにまた、コード４６を介して、例えばカメラ一体型ビデオテープレコーダ（ＶＴＲ）４７などからビデオ信号が供給できるようになされている。さらに、コード４８を介して、テレビジョン受像機４９に対してビデオ信号を出力することができるようになされている。また、コード５０を介して、プリンタ／リーダ５１と接続することが可能であり、このプリンタ／リーダ５１に所定の信号を出力し、プリントさせるとともに、読み取ったデータを入力することができるようになされている。
【００４４】
図２は、光磁気ディスク記録再生装置３１の内部の電気的構成を示すブロック図である。インターフェース（Ｉ／Ｆ）６１は、コード４１を介して電話回線より伝送されてくるデータをフィルタ６２に供給し、不要な成分を除去した後、スイッチ６３に出力するようになされている。また、スイッチ６３よりフィルタ６２を介して入力されたデータを、コード４１を介して電話回線に出力するようになされている。
【００４５】
フィルタ６２は、電話回線の出力する信号を、電話回線を介して伝送可能な周波数帯域（例えば、３００Ｈｚ乃至４ｋＨｚ）の信号に変換する。スイッチ６３は、マイクロホン４３より供給される信号または電話回線を介して供給される信号のいずれかを選択し、Ａ／Ｄ，Ｄ／Ａ変換器６４に出力する。また、Ａ／Ｄ，Ｄ／Ａ変換器６４より供給される信号を、スピーカ４５または電話回線、あるいは、その両方に出力するように切り替えられる。
【００４６】
Ａ／Ｄ，Ｄ／Ａ変換器６４は、スイッチ６３より供給されるアナログオーディオ信号をＡ／Ｄ変換して、ＤＳＰ（デジタルシグナルプロセッサ）６５に供給するとともに、ＤＳＰ６５より供給されるデジタルアナログオーディオ信号をＤ／Ａ変換して、スイッチ６３に出力する。ＤＳＰ６５は、メモリ（ＲＡＭ）６６を備えており、そこに記憶されているプログラムに従って所定の処理を実行する。また、このメモリ６６には、処理に必要なデータが随時記憶される。
【００４７】
ＶＴＲ４７より供給されたビデオ信号は、Ａ／Ｄ変換器６７によりＡ／Ｄ変換された後、ビデオプロセッサ６８に供給されるようになされている。ビデオプロセッサ６８は、入力されたビデオデータに対して必要に応じてグラフィック編集処理などを施し、ＶＲＡＭ７０に出力し、記憶させる。このＶＲＡＭ７０に記憶されたビデオデータは、Ｄ／Ａ変換器７１によりＤ／Ａ変換された後、テレビジョン受像機４９に供給され、表示される。ＭＰＥＧデコーダ６９は、ＭＤデータドライブ装置７６（基本的には、図６に示すように、ミニディスク３に対してデータを記録再生することができるように構成されている）より供給されるＭＰＥＧ方式のビデオデータをデコードするようになされている。ビデオプロセッサ６８はまた、ＭＰＥＧデコーダ６９によりデコードされたビデオデータを、ＶＲＡＭ７０、Ｄ／Ａ変換器７１を介してテレビジョン受像機４９に出力、表示させる。
【００４８】
受光部３４がリモートコントローラ３５より受光した赤外線による信号は、インターフェース（Ｉ／Ｆ）７２を介してマイクロコンピュータ７４に供給されるようになされている。インターフェース（Ｉ／Ｆ）７３は、キー３３からの指令に対応する信号を、マイクロコンピュータ７４に出力するようになされている。マイクロコンピュータ７４は、ＲＩＳＣ  ＣＰＵ７４ａ、ＤＭＡコントローラ（ＤＭＡＣ）７４ｂ、インターラプトコントローラ（ＩＮＴＣ）７４ｃなどを内蔵している。また、マイクロコンピュータ７４には、メモリ７５がバスを介して接続されており、このメモリ７５には、ＤＳＰ６５の処理動作において必要なプログラムや、リモートコントローラ３５より入力された信号を解釈するためのデータなどが記憶されている。マイクロコンピュータ７４は、プリンタ／リーダ５１にも接続されている。
【００４９】
インターフェース（Ｉ／Ｆ）７７には、例えばＰＣＭＣＩＡなどの規格によるカードＲＡＭやカードＲＯＭが装着され、そのデータが必要に応じて取り込まれるようになされている。
【００５０】
次に、図３のフローチャートを参照して、その動作について説明する。いま、ＭＤデータドライブ装置７６に、内部にミニディスク３が収容されているカートリッジ２を装着すると、マイクロコンピュータ７４は、最初にステップＳ１において、ＭＤデータドライブ装置７６が装着されたディスクのフォーマットを調べるための処理を実行する。
【００５１】
即ち、ミニディスク３には、図４に示すように、その内周の所定の領域にリードイン領域が設けられ、最外周側にリードアウト領域が設けられている。そして、このリードイン領域とリードアウト領域の間に、ユーザが所定のデータを記録することができるようになされており、この領域の最内周側には、ユーザＴＯＣ領域が設けられ、そこにユーザが必要とするＴＯＣデータを随時記録することができるようになされている。このユーザＴＯＣ領域には、通常の音楽用ＭＤの場合、記録されている曲番のアドレスが記録されるが、本実施例においては、このユーザＴＯＣ領域に、さらにフォーマットに対応する識別データが記録されるようになされている。
【００５２】
マイクロコンピュータ７４は、ＭＤデータドライブ装置７６にカートリッジ２が挿入されたとき、このユーザＴＯＣデータを読み取り、その識別データからフォーマットを調べる。この識別データは、マイクロコンピュータ７４（ＲＩＳＣ  ＣＰＵ７４ａ）が異なる種類のものに取り替えられた場合（異なる機種にミニディスクが装着された場合）においても、解釈できるように、中間言語的プログラムで記述されている。
【００５３】
マイクロコンピュータ７４は、このようにして識別データからフォーマットを調べた後、ステップＳ２乃至Ｓ４に進み、識別データに対応するプログラムをメモリ７５から読み出し、ＤＳＰ６５のメモリ６６にロードする。これにより、ＤＳＰ６５は、ＭＤデータドライブ装置７６に装着されたフォーマットに対応する伸張処理が可能となる。そこで、次にステップＳ５に進み、ＤＳＰ６５はメモリ６６にロードされたプログラムに対応して、ＤＳＰ処理を実行する。
【００５４】
即ち、装着されたのが、通常の音楽用ＭＤ（オーディオ信号が記録される）である（ＭＤフォーマットのディスクである）場合、メモリ６６には、図６に示した装置と同一の機能を実行するためのプログラムがロードされる。また、ＭＤデータ対応フォーマットのディスクが装着された場合、上述したＭＤデータフォーマットの処理を実行するためのプログラムがロードされる。
【００５５】
例えば、通常の音楽用ＭＤが装着され、再生が指令されると、ＭＤデータドライブ装置７６は、装着されたミニディスク３からデータを再生し、メモリ６６に供給し、記憶させる。ＤＳＰ６５は、メモリ６６に記憶されたデジタルオーディオデータを、同様にメモリ６６に記憶されたプログラムに従って伸張処理する（デコードする）。ＤＳＰ６５によりデコードされたデータは、Ａ／Ｄ，Ｄ／Ａ変換器６４に入力され、Ｄ／Ａ変換された後、スイッチ６３を介してスピーカ４５に出力され、放音される。あるいはまた、必要に応じてスイッチ６３からフィルタ６２、インターフェース６１を介して電話回線に出力される。
【００５６】
ＭＤデータドライブ装置７６に装着されたミニディスク３が、例えば上述したＣＤ−ＩのフォーマットによりＭＰＥＧ方式のフォーマットで、ビデオデータとオーディオデータとが圧縮されて記録されているＭＤデータ対応フォーマットのディスクである場合、再生が指令されると、オーディオデータは、上述した場合と同様に、ＤＳＰ６５により処理され（処理内容は、ＭＤにおける場合と異なる）、出力される。
【００５７】
一方、ビデオデータは、ＭＰＥＧデコーダ６９に供給され、デコードされる。ＭＰＥＧデコーダ６９によりデコードされたデータは、ＶＲＡＭ７０に供給され、一旦記憶され、そして再び読み出されて、Ｄ／Ａ変換器７１によりＤ／Ａ変換され、テレビジョン受像機４９に出力され、表示される。この画像データは、ビデオプロセッサ６８により、必要に応じてグラフィック編集処理することができる。
【００５８】
一方、記録モード指令されたとき、マイクロホン４３より入力されるオーディオ信号、あるいは電話回線、インターフェース６１およびフィルタ６２を介して入力される信号の一方が、スイッチ６３により選択され、Ａ／Ｄ，Ｄ／Ａ変換器６４によりＡ／Ｄ変換され、ＤＳＰ６５に供給される。ＤＳＰ６５は、入力されたデジタルオーディオデータを、メモリ６６に記憶されているプログラムに従って所定のフォーマット（ＭＤまたはＭＰＥＧ）で圧縮し、ＭＤデータドライブ装置７６に供給する。これにより、ＭＤデータドライブ装置７６に装着されているミニディスク３に、オーディオデータが圧縮されて記録される。
【００５９】
本実施例においては、ＭＰＥＧエンコーダを備えていないので、ビデオデータを記録することはできないが、ＭＰＥＧデコーダ６９に代えて、ＭＰＥＧエンコーダ／デコーダを設ければ、ビデオデータのミニディスク３への記録も可能となる。
【００６０】
ＤＳＰ６５は、電話回線を介してデータの送受を行う場合、ＭＯＤＥＭとしての機能も実行する。このとき、ＤＳＰ６５は、電話回線を介して入力されるオーディオ信号を圧縮して、ＭＤデータドライブ装置７６に装着されているミニディスク３に圧縮して記録する。これにより、留守番電話機能を果たすことが可能となる。また、ＭＤデータドライブ装置７６より再生したビデオデータまたはオーディオデータを、電話回線を介して伝送する。さらにＤＳＰ６５は、プリンタ／リーダ５１より取り込まれたイメージデータを、例えばＭＭＲ（Ｍｏｄｉｆｉｅｄ  Ｍｏｄｉｆｉｅｄ  ＲＥＡＤ）方式で圧縮し、電話回線を介して伝送させる。これにより、一種のＦＡＸ（Ｇ３，Ｇ２）機能を果たすことができる。勿論、イメージデータをミニディスク３に一旦記録し、これを再生して伝送するようにすることもできる。
【００６１】
以上のようにして、本実施例においては、ＤＳＰ６５を動作させるプログラムとして、ミニディスクにおける圧縮伸張方式（ＡＴＲＡＣ）のプログラム、あるいはＭＰＥＧ方式のプログラムをロードするようにしたので、それぞれ専用のＤＳＰ（処理回路）を設ける必要がなくなり、その分だけコストを低減することが可能となる。
【００６２】
尚、この実施例においては、ＤＳＰ６５にロードするプログラムをメモリ７５に予め記憶させるようにしたが、ＭＤデータドライブ装置７６に装着されたミニディスク３よりロードしたり、あるいはインターフェース７７に装着されたカードよりロードするようにすることも可能である。
【００６３】
図５は、本発明の光磁気ディスク記録再生装置の他の実施例を示している。光磁気ディスク記録再生装置８１が、ＤＳＰ６５と、これに対応するメモリ（ＲＡＭ）６６を備える他、ＭＤデータドライブ装置７６を備えることは、図２の実施例における場合と同様である。そして、この実施例においては、ビデオプロセッサ９３と、それに対応するメモリ（ＲＡＭ）９４が設けられている。
【００６４】
ＤＳＰ６５には、Ｄ／Ａ，Ａ／Ｄ変換器兼コントローラ９１が接続され、マイクロホン４３あるいは電話回線を介して、入力されたアナログオーディオ信号をＡ／Ｄ変換してＤＳＰ６５に出力するとともに、ＤＳＰ６５より出力されたデジタルオーディオデータをＤ／Ａ変換して、スピーカ４５または電話回線に出力するようになされている。同様にして、Ｄ／Ａ，Ａ／Ｄ変換器兼コントローラ９２が、ＶＴＲ４７より供給されるアナロクビデオ信号をＡ／Ｄ変換して、ビデオプロセッサ９３に出力するとともに、ビデオプロセッサ９３より出力されたデジタルビデオデータをＤ／Ａ変換して、テレビジョン受像機４９または電話回線へ出力するようになされている。
【００６５】
また、インターフェース９５が設けられ、リモートコントローラ３５またはキーボードより入力された信号を、コントロールポート９６に出力するようになされている。
【００６６】
また、この装置は、予め所定のプログラムなどが記憶されているＲＯＭ９９と、このプログラムに従って所定の動作を実行するＣＰＵ９７、さらに、必要に応じて所定のデータ、プログラムなどが記憶されるＲＡＭ９８が設けられ、これらがバスを介してＭＤデータドライブ装置７６、ＤＳＰ６５、ビデオプロセッサ９３およびコントロールポート９６に接続されている。
【００６７】
次に、その動作について説明する。この実施例においては、ＭＤデータドライブ装置７６に、カートリッジ２に収容されているミニディスク３を装着したとき、ＣＰＵ９７は、装着されたミニディスク３のユーザＴＯＣを直ちに読み取り、その識別データからフォーマットを特定する。そしてＣＰＵ９７は、その識別したフォーマットに対応するプログラムをＲＯＭ９９から読み出し、ＤＳＰ６５に対応するＲＡＭ６６と、ビデオプロセッサ９３に対応するＲＡＭ９４に、それぞれロードさせる。これにより、ＤＳＰ６５とビデオプロセッサ９３は、ＭＤデータドライブ装置７６に装着されたミニディスク３のフォーマットに対応する圧縮伸張処理が実行可能な状態となる。
【００６８】
このような状態において、リモートコントローラ３５またはキーボードより記録動作の指令が入力されると、この指令がインターフェース９５、コントロールポート９６を介してＣＰＵ９７に入力される。ＣＰＵ９７は、この指令に対応して記録動作を開始する。
【００６９】
装着されたのが、ＭＤデータ対応フォーマットのミニディスクである場合、例えばＶＴＲ４７より供給されたアナログビデオ信号は、Ｄ／Ａ，Ａ／Ｄ変換器兼コントローラ９２によりＡ／Ｄ変換され、ビデオプロセッサ９３に入力される。ビデオプロセッサ９３は、入力されたビデオデータをＲＡＭ９８（またはＲＡＭ９４）に一旦記憶させる。そして、ＲＡＭ９４に記憶されているプログラムに従って、ＲＡＭ９８に記憶されたビデオデータを、例えばＭＰＥＧ方式に従って圧縮処理する。
【００７０】
一方、例えばマイクロホン４３より入力されたアナログオーディオ信号がＤ／Ａ，Ａ／Ｄ変換器兼コントローラ９１によりＡ／Ｄ変換され、ＤＳＰ６５に供給される。ＤＳＰ６５は、入力されたデジタルオーディオデータをＲＡＭ９８（またはＲＡＭ６６）に一旦記憶させる。そしてＲＡＭ６６に記憶されているプログラムに従って、ＲＡＭ９８に記憶されたデジタルオーディオデータを、例えばＭＰＥＧ方式に従って圧縮処理する。
【００７１】
このようにして、圧縮されたビデオデータとオーディオデータは、ＭＰＥＧビットストリームとされ、ＭＤデータドライブ装置７６に供給され、装着されたミニディスク３に記録される。
【００７２】
ＭＤデータドライブ装置７６に装着したミニディスク３が、通常の音楽用ＭＤフォーマットのディスクである場合、ＲＡＭ６６には、ＭＤフォーマットの圧縮伸張を行うためのプログラムがロードされる。その結果、入力されたアナログオーディオ信号がＭＤフォーマットに変換されて、ＭＤデータドライブ装置７６に装着されているミニディスク３に記録される。
【００７３】
但し、ミニディスクフォーマットの場合、ビデオデータは記録されないので、ＲＡＭ９４には、特にプログラムはロードされない。
【００７４】
一方、再生が指令されたとき、ＭＤデータドライブ装置７６より再生されたデータは、ＲＡＭ９８に供給され、一旦記憶される。ＤＳＰ６５は、ＲＡＭ９８に記憶されたデータのうち、オーディオデータを読み出し、これを伸張して（デコードして）、Ｄ／Ａ，Ａ／Ｄ変換器兼コントローラ９１に出力し、Ｄ／Ａ変換した後、スピーカ４５に出力させる。
【００７５】
一方、ビデオプロセッサ９３は、ＲＡＭ９８に記憶されたデータのうち、ビデオデータを読み出し、これを伸張し（デコードし）、Ｄ／Ａ，Ａ／Ｄ変換器兼コントローラ９２に出力し、Ｄ／Ａ変換した後、テレビジョン受像機４９に出力、表示させる。
【００７６】
尚、ビデオプロセッサ９３が動作するのは、ＭＤデータドライブ装置７６に装着されたミニディスク３に、ビデオデータが記録されている場合のみであることはもとよりである。
【００７７】
このように本実施例においては、ＤＳＰ６５だけでなく、ビデオプロセッサ９３が、ＭＤデータドライブ装置７６に装着されたミニディスク３のフォーマットに対応するプログラムをロードし、このプログラムに従って、データの圧縮伸張処理を行うようにしたので、ＤＳＰおよびビデオプロセッサとして、それぞれ専用のフォーマットのものを複数個用意する必要がなくなり、コストを安価にすることができる。
【００７８】
また、この実施例においては、各フォーマットに対応するプログラムをＲＯＭ９９に予め記憶させるようにしたが、図２の実施例における場合と同様に、必要に応じて、ＭＤデータドライブ装置７６に装着されたミニディスク３、あるいはインターフェース７７に装着されたカードよりロードするようにすることも可能である。
【００７９】
また、この図５の実施例においても、ＤＳＰ６５はＭＯＤＥＭとしての機能を実行することができる。この場合、電話回線を介して入力されたビデオデータとオーディオデータの両方が所定の周波数帯域（３００Ｈｚ乃至４ｋＨｚ）の信号に変換されて、電話回線を介して伝送される。
【００８０】
尚、以上の実施例においては、フォーマットの種類を識別するための識別データを、ミニディスク３のユーザＴＯＣ領域に記録するようにしたが、例えばデータ領域におけるデータとして（例えば、図７におけるサブデータとして）、記録しておくことも可能である。
【００８１】
以上、本発明を光磁気ディスク記録再生装置に応用した場合を例として説明したが、本発明は、この他、磁気ディスク、磁気テープ、その他の記録媒体に、オーディオデータ、ビデオデータ、その他のデジタルデータを圧縮して記録し、これを伸張して再生する場合に適用することが可能である。
【図面の簡単な説明】
【００８２】
【図１】本発明のデータ処理装置を応用した光磁気ディスク記録再生装置の一実施例の構成を示す斜視図である。
【図２】図１に示した光磁気ディスク記録再生装置３１の内部的構成を示すブロック図である。
【図３】図２の実施例の動作を説明するフローチャートである。
【図４】図２のＭＤデータドライブ装置７６に装着されたミニディスクのフォーマットを説明する図である。
【図５】本発明のデータ処理装置を応用した光磁気ディスク記録再生装置の他の実施例の構成を示すブロック図である。
【図６】ミニディスク装置の構成例を示すブロック図である。
【図７】図６のミニディスクのフォーマットを説明する図である。
【図８】ＭＰＥＧ方式における画像圧縮の原理を説明する図である。
【図９】ＭＰＥＧ方式における画像圧縮の順序を説明するタイミングチャートである。
【図１０】ＭＰＥＧ方式におけるＭＰＥＧストリームを説明する図である。
【符号の説明】
【００８３】
２  カートリッジ，  ３  ミニディスク，  ４  光ピックアップ，  ６  磁気ヘッド，  ３１  光磁気ディスク記録再生装置，  ３２  挿入孔，  ３４  受光部，  ３５  リモートコントローラ，  ４３  マイクロホン，  ４５  スピーカ，  ４７  ビデオテープレコーダ，  ４９  テレビジョン受像機，  ５１  プリンタ／リーダ，  ６５  ＤＳＰ
６６  メモリ，  ６８  ビデオプロセッサ，  ６９  ＭＰＥＧデコーダ，  ７４  マイクロコンピュータ，  ７５  メモリ，  ９３  ビデオプロセッサ，  ９４  メモリ，  ９７  ＣＰＵ，  ９８  ＲＡＭ，  ９９  ＲＯＭ
【図１】
0003604036.tif 000003
【図２】
0003604036.tif 000004
【図３】
0003604036.tif 000005
【図４】
0003604036.tif 000006
【図５】
0003604036.tif 000007
【図６】
0003604036.tif 000008
【図７】
0003604036.tif 000009
【図８】
0003604036.tif 000010
【図９】
0003604036.tif 000011
【図１０】
0003604036.tif 000012